(57)【要約】【課題】安全性を高め、安心感をもたらすとともに、電気的な接続作業を容易に行うことが可能な照明装置を提供する。【解決手段】照明装置は、装置取付面Ｃに取付けるための取付部４を有する取付部材１と、光源部７を有するとともに前記取付部材１の前面側に開閉可能に取付けられる光源部本体２と、前記取付部材１の背面側に配設され、取付部材１の前面側に導出される給電用接続手段Ｃｎ3を有して光源部７に給電する点灯装置３とを備えている。【選択図】図６
2013168237.tif 000002
【特許請求の範囲】
【請求項１】
装置取付面に取付けるための取付部を有する取付部材と；
光源部を有するとともに前記取付部材の前面側に開閉可能に取付けられる光源部本体と;
前記取付部材の背面側に配設され、取付部材の前面側に導出される給電用接続手段を有して光源部に給電する点灯装置と；
を具備することを特徴とする照明装置。
【請求項２】
前記点灯装置の周囲には、間接光光源部が配設されていることを特徴とする請求項１に記載の照明装置。
【請求項３】
前記取付部材の前面側と対向する光源部本体側には、空間部が形成されていることを特徴とする請求項１又は請求項２に記載の照明装置。
【発明の詳細な説明】
【技術分野】
【０００１】
本発明の実施形態は、天井面等の装置取付面に取付けられる取付部材に開閉可能に取付けられる光源部本体を備えた照明装置に関する。
【背景技術】
【０００２】
近時、ＬＥＤ（発光ダイオード）の高出力化、高効率化に伴い、光源としてＬＥＤを用いた屋内又は屋外で使用される低消費電力、長寿命化が期待できる照明装置が開発されている。この照明装置は、ＬＥＤを基板に複数実装して所定の明るさを得るようにしたもので、例えば、天井面等に取付けられる一般住宅用のシーリングライトとして用いられている。
【０００３】
さらに、この種シーリングライトにおいて、本体部の下面に対して開閉可能に光源部を設け、また、本体部の下面側に点灯装置を配設したものが提案されている。このような構成の場合、天井面等の装置取付面に照明装置を取付け、本体部と光源部とを電気的に接続する作業を行うに際し、本体部に対して光源部を開状態にして行う。
【先行技術文献】
【特許文献】
【０００４】
【特許文献１】特開２００９−１１７１６０号公報
【特許文献２】特開２００２−２７００２７号公報
【発明の概要】
【発明が解決しようとする課題】
【０００５】
しかしながら、上記のような構成においては、本体部に対して光源部を開状態とすると充電部である点灯装置が視認され、作業にあたって安全性に関して不安感をもたらすこととなる。また、点灯装置から導出される電線や配線部品が散在して露出する場合があり、電気的な接続作業における接続部位が分かりにくいという不具合が生じる。さらに、デザイン性にも劣るという課題が生じる。
【０００６】
本発明の実施形態は、上記課題に鑑みなされたもので、安全性を高め、安心感をもたらすとともに、電気的な接続作業を容易に行うことが可能な照明装置を提供することを目的とする。
【課題を解決するための手段】
【０００７】
本発明の実施形態による照明装置は、装置取付面に取付けるための取付部を有する取付部材と、光源部を有するとともに前記取付部材の前面側に開閉可能に取付けられる光源部本体とを備えている。
また、前記取付部材の背面側に配設され、取付部材の前面側に導出される給電用接続手段を有して光源部に給電する点灯装置を備えている。
【発明の効果】
【０００８】
本発明の実施形態によれば、安全性を高め、安心感をもたらすとともに、電気的な接続作業を容易に行うことが可能な照明装置を提供することができる。
【図面の簡単な説明】
【０００９】
【図１】本発明の実施形態に係る照明装置を示す斜視図である。
【図２】同照明装置の背面側を示す斜視図である。
【図３】図２中、Ｙ−Ｙ線に沿って示す断面図である。
【図４】図３中、Ａ部を示す拡大図である。
【図５】同照明装置において、天井面への取付手順を示しており、取付部材を天井面に取付けた状態を示す断面図である。
【図６】同じく、照明装置において、天井面への取付手順を示しており、取付部材に光源部本体が支持された状態を示す断面図である。
【図７】同照明装置において、取付部材を前面側から見て示すとともに、光源部から導出され受電用コネクタが接続された電線を示す斜視図である。
【発明を実施するための形態】
【００１０】
本実施形態の一例としての照明装置は、天井面等の装置取付面に設置された配線器具である引掛けシーリングボディに取付けられて使用される形式であり、導光板を用いて例えば、室内の照明を行うシーリングライトである。
【００１１】
以下、本発明の実施形態について図１乃至図７を参照して説明する。図において電線等の配線接続関係は省略して示している場合がある。なお、同一部分には同一符号を付し、重複した説明は省略する。
【００１２】
図１乃至図３、図５に示すように、照明装置は、基本的に、取付部材１と、光源部本体２との２部材から構成されている。取付部材１には、点灯装置３、取付部４としてのアダプタガイド、間接光光源部５及び複数の電気的補助部品が設けられた補助部品ユニット６が配設されている。また、光源部本体２は、光源部７、導光板８、フレーム部材９及び拡散カバー１０を備えている。
【００１３】
さらに、照明装置は、装置取付面としての天井面Ｃに設置された引掛けシーリングボディＣｂに電気的かつ機械的に接続されるアダプタＡ及び光源部２の点灯状態を制御する赤外線リモコン送信器Ｒｃを備えている。このような照明装置は、略正方形状の外観に形成され、前面側を光の照射面とし、背面側を天井面Ｃへの取付面としている。これらの構成要素について順次説明する。
【００１４】
取付部材１は、冷間圧延鋼板等の金属材料から略長方形状の平板状に形成された装置本体である。具体的には白色の塗装が施されたシャーシであり、略中央部には、天井面Ｃに設置された引掛けシーリングボディＣｂ及びアダプタＡに対向する後述する取付部４が配置される略円形状をなす開口１１が形成されている。
【００１５】
また、取付部材１の長手方向の対向する一辺側の略中央部には、鍵状に折曲された係止受金具１２がねじ等の固定手段によって取付けられている。一方、他辺側における両端の角部には、略Ｌ字状に折曲されて前面側へ延出する一対の取付金具１３が同様に、ねじ等の固定手段によって取付けられている。
【００１６】
さらに、図７の参照を加えて示すように、取付部材１には、前面側へ突出する第１の突出壁１４及び第２の突出壁１５が絞り加工によって形成されている。第１の突出壁１４は、段差部１４ａによって隅丸の略正方形状に形成されていて、第２の突出壁１５は、第１の突出壁１４から段差部１５ａによって突出するように略円形状に形成されている。したがって、第２の突出壁１５は、前記開口１１の周囲を取り囲むように形成されている。
これら第１の突出壁１４及び第２の突出壁１５は、主として平板状の取付部材１を補強する作用をなしている。
【００１７】
点灯装置３は、図３に代表して示すように、回路基板と、この回路基板に実装された制御用ＩＣ、トランス、コンデンサ等の回路部品とを備えている。回路基板は、中央部の周囲を囲むように板状に形成されていて、その表面側に回路部品が実装されている。
【００１８】
回路基板には、アダプタＡ側が電気的に接続されて、アダプタＡを介して商用交流電源に接続される。したがって、点灯装置３は、この交流電源を受けて直流出力を生成し、電線を介してその直流出力を光源部７に給電し、光源部７を点灯制御するようになっている。
【００１９】
このため、取付部材１の前面側には、図３、図５乃至図７に示すように点灯装置３から取付部材１に形成された貫通孔を介して導出された給電用接続手段として給電用コネクタＣｎ3が配設されている。この給電用コネクタＣｎ3は、略箱状の外形をなしており、一側面側には接続部として接続口Ｐが形成されている。接続口Ｐは、凹部状をなしていて、受電用接続手段としての受電用コネクタＣｎ2が差し込まれて電気的に接続できるようになっている。
【００２０】
なお、給電用コネクタＣｎ3は、取付部材１に形成された貫通孔から電線が導出されて、この電線とともに取付部材１の前面側に導出される場合であってもよい。
【００２１】
このような点灯装置３は、図２の参照を加えて示すように、点灯装置カバー３５に取付けられ覆われて、取付部材１の背面側に配設されている。この場合、回路基板は、回路部品が前面側（図示上、下方側）に向けられて取付けられる。なお、回路基板の裏面側には、スイッチング素子や表面実装部品等の比較的高さ寸法の小さい部品を実装するようにしてもよい。このように点灯装置３は、取付部材１の背面側に取付けられるので、前面側に取付ける場合に比し、その取付状態が安定化する。
【００２２】
点灯装置カバー３５は、冷間圧延鋼板等の金属材料によって略四角形の短筒状に形成され、側壁３５ａは、前面側に向かって拡開するように傾斜状をなしており、背面壁３５ｂの中央部には、開口３５ｃが形成されている。
【００２３】
この点灯装置カバー３５は、前面側のフランジが取付部材１に載置され、ねじ止めされて取付けられる。したがって、点灯装置カバー３５は、取付部材１の背面側から突出するように配設されている。
【００２４】
また、点灯装置カバー３５の背面側には、弾性部材３６が取付けられている。弾性部材３６は、ステンレス鋼等の材料からなる金属製のばね部材であり、点灯装置カバー３５の各辺に対応して取付けられていて、一対の先端側が拡開するように背面側へ延出している。
【００２５】
弾性部材３６は、照明装置が装置取付面としての天井面Ｃに取付けられた状態において、天井面Ｃとの間に弾性変形を伴って介在するように配設される部材であり、照明装置を天井面Ｃに確実に保持する作用をなしている。
【００２６】
取付部４は、アダプタガイドであり、アダプタＡが挿通し係合する部材であり、照明装置を天井面Ｃに取付けるための部材である。アダプタガイドは、図２及び図３に示すように、略円筒状に形成されていて、中央部には、アダプタＡが挿通し、係合する円形状の係合口４１が設けられている。このアダプタガイドは、取付部材１の略中央部に形成された開口１１に対応して配設されている。
【００２７】
なお、取付部４は、必ずしもアダプタガイド等と指称される部材である必要はない。例えば、シャーシ等に形成される開口であってもよく、配線器具としての引掛けシーリングボディＣｂに対向し、アダプタＡが係合される部材や部分を意味している。要は、照明装置を天井面Ｃに取付けるための部材や部分である。
【００２８】
間接光光源部５は、取付部材１の背面側であって、点灯装置３の周囲に配設されていて、主として天井面Ｃを明るく照らす機能を有している。図２及び図３に示すように、間接光光源部５は、点灯装置３の周囲に位置して複数個配設されており、基板５１と、この基板５１に実装された複数の発光素子５２とを備えている。
基板５１は、略長方形状の平板に形成されており、発光素子５２は、この基板５１の長手方向に沿って直線状に並べられて実装されている。
【００２９】
この発光素子５２が実装された基板５１が前記点灯装置カバー３５の側壁３５ａにおける４箇所に側壁３５ａに沿って取付けられている。この場合、点灯装置カバー３５は、略四角形に形成されており、基板５１は、その側壁３５ａにおける直線状の平坦面に取付けられているので、取付けが安定的に行われることとなる。
【００３０】
また、基板５１の取付部をなす側壁３５ａは、前面側に向かって拡開する傾斜状に形成されているため、基板５１は、斜め上方、つまり、天井面Ｃ方向へ向けられることとなり、発光素子５２から出射される光は、天井面Ｃ方向へ向かって効果的に照射されるようになる。
【００３１】
さらに、各間接光光源部５は、断面が背面側へ向かって拡開するような傾斜状に形成された透光性のカバー５３に覆われるようになっている。このため、照明装置が天井面Ｃ取付けられた状態において、下方から照明装置の側部を見た場合、点灯装置カバー３５の背面側に取付けられた弾性部材３６を視認しにくくすることが可能となる。
【００３２】
発光素子５２は、ＬＥＤであり、表面実装型のＬＥＤパッケージであって、発光色が電球色（Ｌ）のものが用いられている。この発光素子５２は、点灯装置３に接続されて点灯制御されるようになっている。
【００３３】
このように間接光光源部５は、点灯装置カバー３５の側壁３５ａに取付けられ、点灯装置３の周囲に配設されるので、間接光光源部５を設けるにあたって、格別なスペースを必要とせず、背面側への高さ寸法を大きくすることなく、装置の薄型化が可能となる。また、点灯装置３と間接光光源部５とを接続する配線も簡素化することが可能となる。
【００３４】
補助部品ユニット６は、取付部材１の他辺側の中央部に配設されている。補助部品ユニット６は、横長箱状のケース内にユニット基板及びこの基板に実装された複数の電気的補助部品を備えて構成されている。本実施形態における電気的補助部品は、赤外線リモコン信号受信部、常夜灯やチャンネル設定スイッチ等である。
次に、光源部本体２は、光源部７、導光板８、フレーム部材９及び拡散カバー１０を備えている。
光源部７は、図３及び図４に示すように、基板７１と、この基板７１に実装された発光素子７２とを備えている。
【００３５】
基板７１は、横長の長方形状に形成されていて、絶縁材であるガラスエポキシ樹脂（ＦＲ−４）の平板からなり、表面側には銅箔で形成された配線パターンが形成されている。また、配線パターンの上に適宜レジスト層が積層されて形成されるようになっている。なお、基板７１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００３６】
発光素子７２は、ＬＥＤであり、表面実装型のＬＥＤパッケージである。このＬＥＤパッケージが基板７１の長手方向に沿って直線状に並べられて複数個実装され配設されている。ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００３７】
ＬＥＤパッケージには、発光色が電球色（Ｌ）のものと昼光色（Ｄ）のものとが用いられて、いわゆる白色のものが用いられており、これらが長手方向に沿って交互に直線状に並べられて配設されている。ＬＥＤチップは、青色光を発光するＬＥＤチップである。透光性樹脂には、蛍光体が混入されており、電球色（Ｌ）、昼光色（Ｄ）の白色系の光を出射できるようにするために、主として青色の光とは補色の関係にある黄色系の光を放射する黄色蛍光体や赤み成分を補うため赤色蛍光体が用いられている。なお、前記いわゆる白色には、昼光色（Ｄ）、昼白色（Ｎ）、白色（Ｗ）や電球色（Ｌ）等が含まれる。
【００３８】
なお、ＬＥＤは、ＬＥＤチップをＣＯＢ（chip on board）方式で直接基板７１に実装するようにしてもよく、また、砲弾型のＬＥＤを実装するようにしてもよく、実装方式や形式は、格別限定されるものではない。
このような光源部７の基板７１は、放熱部材としての取付板７３に取付けられるようになっている。
【００３９】
取付板７３は、アルミニウムや亜鉛めっき鋼板等の熱伝導が良好な材料から作られており、横長で側面が略Ｃ型チャンネル形状に形成されている。この取付板７３の内側壁には、基板７１がねじ止め等によって、その裏面側が密着するように取付けられている。したがって、発光素子７２は、基板７１を介して取付板７３と熱的に結合され、また、光源部７は、取付板７３に基板７１が取付けられてユニット化されている。
【００４０】
本実施形態では、このユニット化された光源部７が４個用いられており、導光板８の各辺に対応して配設されるようになっている。また、ユニット化された光源部７相互は、コネクタによって電気的に接続されている。
なお、このユニット化された光源部７は、導光板８の対向する二辺や隣接する二辺に配設してもよく、適宜設計に応じて選択することができる。
【００４１】
このような放熱部材としての取付板７３は、図２に代表して示すように、取付部材１の外側に位置して外部へ露出するように配設される。つまり、各取付板７３は、取付部材１を内側にして取付部材１の周囲を囲むように四角形状をなして配設される。
【００４２】
また、基板７１は、垂直方向に立設するように取付板７３の内側壁に取付けられているので、各取付板７３によって囲まれる光源部本体２の内側には、図２、図３、図５に示すように空間部Ｓｃが形成されている。つまり、この空間部Ｓｃは、取付部材１の前面側と対向する光源部本体２側に形成されるようになる。
【００４３】
さらに、図３、図５乃至図７に示すように光源部７の一端からは電線によって導出された受電用接続手段としての受電用コネクタＣｎ2が設けられるようになっている。
【００４４】
具体的には、受電用コネクタＣｎ2は、光源部７における基板７１を介して発光素子７２と電気的に接続されており、四角形状をなす取付部材１の角部近傍、換言すれば、四角形状をなす導光板８の角部近傍から取付部材１の長手方向の内側に沿う方向に電線によって導出されている。受電用コネクタＣｎ2は、略直方体形状に形成され、前方に突出した挿入部を備えている。挿入部は、給電用コネクタＣｎ3の接続口Ｐに差し込まれる部分であり、この受電用コネクタＣｎ2を給電用コネクタＣｎ3に差し込むことにより電気的接続がなされる。
【００４５】
取付板７３の対向する一辺側の中央部には、鍵状に折曲された係止金具７５が内側に向けてねじ等の固定手段によって取付けられている。一方、取付板７３の他辺側には、一対の取付金具７６がねじ等の固定手段によって取付けられている。
【００４６】
このような係止金具７５及び取付金具７６は、前述の取付部材１に設けられた係止受金具１２及び取付金具１３と対向するように配設されており、詳細を後述するように係止受金具１２及び取付金具１３に係止、固定されるようになっている。
【００４７】
なお、本実施形態においては、これら係止受金具１２及び取付金具１３、係止金具７５及び取付金具７６によって、取付部材１と光源部本体２との係止結合手段が構成されている。
【００４８】
導光板８は、アクリル樹脂等の透過率の高い材料を用いて多角形状に形成されている。具体的には、四角形状の平板状に形成され、背面側の全面には光を拡散する多数の白色の反射ドットからなるドットパターンが印刷によって形成されているとともに反射シートが設けられている。さらに、前面側の全面には、拡散シートが設けられている。また、この導光板８の外周部である四角形状の各辺の側端面は、発光素子７２から出射される光が入射して導光板８内を進行する光入射端面８１として機能するようになっている。
【００４９】
このような導光板８の光入射端面８１には、光源部７の基板７１が配設されるようになる。つまり、主として図４に示すように、導光板８の光入射端面８１に光が入射するように、複数の発光素子７２が基板７１に直線状に並べられて配設されるようになる。また、導光板８は、取付部材１の前面側を取付部４を含んで覆うようになる。
【００５０】
フレーム部材９は、光源部本体２の外周部を構成する部材であり、外フレーム９１、前フレーム９２及び透光性フレーム９３を備えて構成されている。外フレーム９１は、ＡＢＳ樹脂やポリカーボネート等の合成樹脂材料から作られていて、起立する側壁を有して略正方形状の枠状に形成されている。前フレーム９２は、白色を呈する合成樹脂材料から作られていて、板状に略正方形状の枠状に形成されている。
【００５１】
また、透光性フレーム９３は、アクリル樹脂等の透光性を有する材料によって同様に、略正方形状の枠状に形成されていて、図４に示すように、外フレーム９１と前フレーム９との間に介在するように配設されている。この透光性フレーム９３は、導光板８から放射される光を導光して光源部本体２の側方を明るくする機能を有している。
これらフレーム部材９は、詳細な構成を省略する取付金具によって取付板７３側に取付けられるようになっている。
拡散カバー１０は、アクリル樹脂等の透光性を有する材料に拡散処理がなされて略正方形状に形成されていて、導光板８の前面側を覆うように配設されている。
【００５２】
また、導光板８の前面側であって外周縁部には、拡散部材８５が配設されるようになっている。この拡散部材８５は、断面が略三角形状で細長状をなしていて、アクリル樹脂等の透光性を有する材料に拡散処理が施されて形成されている。この拡散部材８５を導光板８の外周縁部に配設することにより、導光板８の光入射端面８１の部分に生じやすい輝度むらや色むらを抑制することが可能となる。
【００５３】
アダプタＡは、図３に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。
【００５４】
また、図５に示すように、このアダプタＡからは、前記点灯装置３へ接続する電源コードが導出され、その先端部には電源コネクタＣｎ1が接続されている。この電源コネクタＣｎ1は、点灯装置３側に設けられた受電用コネクタＣｎ0に接続されるようになっている（図８参照）。
【００５５】
図１に示すように、赤外線リモコン送信器Ｒｃは、例えば、周波数３８ｋＨｚのパルス状の特定のコード化された赤外線リモコン制御信号を送信するもので、全光点灯ボタン、調光点灯ボタン、常夜灯ボタンや消灯ボタン等が設けられている。このリモコン送信器Ｒｃを補助部品ユニット６、すなわち、赤外線リモコン信号受信部に向けて操作することによって光源部７における発光素子７２の発光状態、つまり、全光点灯、調光点灯、消灯等の制御を行うことができる。
次に、上記のように構成された照明装置の天井面Ｃへの取付手順について、図３、図５及び図６を参照して説明する。
【００５６】
まず、図５に示すように天井面Ｃに引掛けシーリングボディＣｂが設置されている。また、この引掛けシーリングボディＣｂには、アダプタＡが電気的かつ機械的に接続されている。
【００５７】
この状態で図に示すように、取付部材１側をアダプタＡに取付ける。具体的には、取付部材１における取付部４としてのアダプタガイドの係合口４１をアダプタＡに合わせながら、アダプタＡの係止部Ａ1がアダプタガイドの係合口４１に確実に係合するまで取付部材１を下方から手で押し上げて取付け操作を行う。この状態でアダプタＡから導出されている電源コネクタＣｎ1を点灯装置３側の受電用コネクタＣｎ0に接続する。
【００５８】
次いで、この取付部材１側に光源部本体２側を取付ける。図６に示すように、光源部本体２側に設けられた係止金具７５を取付部材１側の係止受金具１２に引掛けて光源部本体２を支持するとともに、取付部材１側と光源部本体２側とをチェーンＣｈで繋いで光源部本体２を吊下げ状態で支持する。チェーンＣｈは、光源部本体２の落下を防止して安全性を高める機能を有している。
【００５９】
その後、光源部７の一端から導出されている受電用コネクタＣｎ2を取付部材１の前面側に配設された点灯装置３側の給電用コネクタＣｎ3に接続する。この場合、受電用コネクタＣｎ2は、光源部７から余裕のある長さをもって電線によって導出されているので、点灯装置３側の給電用コネクタＣｎ3への接続作業が容易となるとともに受電用コネクタＣｎ2や電線にかかる張力を軽減することができる。このように、取付部材１側と光源部本体２側とは、受電用コネクタＣｎ2及び給電用コネクタＣｎ3によって電気的に接離可能に接続されるようになっている。
【００６０】
続いて、光源部本体２を係止金具７５側を支点として回動し、取付部材１の前面側を覆うように閉塞する。この状態で、取付部材１に設けられた取付金具１３の貫通孔を貫通し、光源部本体２側に設けられた取付金具７６のねじ穴にねじ込まれる取付ねじＳによって光源部本体２は、取付部材１の前面側に確実に取付けられる。この状態が取付完了状態である（図３参照）。
【００６１】
照明装置の取付状態では、アダプタＡが点灯装置カバー３５の開口３５ｃを挿通し、アダプタＡの係止部Ａ1がアダプタガイドの係合口４１に係止され、点灯装置カバー３５の背面側に設けられた弾性部材３６が弾性変形し、点灯装置カバー３５の背面側と天井面Ｃとの間に圧縮状態で介在されるようになる。したがって、照明装置は、アダプタＡにがたつきなく、しっかりと係合し、安定して取付状態が保持される。
【００６２】
また、照明装置を取外す場合には、概略的には、前記取付ねじＳを取外し、光源部本体２を係止金具７５側を支点として開放方向に回動し、次いで、光源部本体２を取付部材１から取外し、取付部材１の前面側を開放する。そして、アダプタＡに設けられているレバーを操作してアダプタＡの係止部Ａ1の係合を解くことにより取付部材１を取外すことができる。
このように光源部本体２は、取付部材１の前面側に開閉可能に、かつ着脱可能に取付けられるようになっている。
【００６３】
以上のような照明装置の取付操作において、取付部材１の前面側が開放された状態であっても、点灯装置３は取付部材１の背面側に配設されているので、点灯装置３が前面側に現れることなく視認されることはない。したがって、安全性を高め、安心感をもたらすことが可能となる。また、平板状の取付部材１の前面側が現れるので、点灯装置３から導出される電線や配線部品が散在して露出するのを回避でき、そのため、例えば、受電用コネクタＣｎ2の接続部位、すなわち、給電用コネクタＣｎ3の配置部位が分かりやすく、接続作業が容易となる効果が期待できる。加えて、デザイン性の向上を図ることが可能となる。
【００６４】
また、取付部材１の前面側には、補強作用をなす第１の突出壁１４及び第２の突出壁１５が形成されているが、これら突出壁１４、１５は、光源部本体２側に形成された空間部Ｓｃに配置されるようになる。さらに、この空間部Ｓｃには、光源部７から導出された電線が配置されるようになる。
【００６５】
また、点灯装置３は、取付部材１側に配設されている。このため、取付部材１に結合される光源部本体２側の重量が軽減され、係止結合手段を構成する係止受金具１２及び取付金具１３、係止金具７５及び取付金具７６にかかる荷重負担が軽減され強度的に有利となる。
【００６６】
さらにまた、点灯装置３及び間接光光源部５は、取付部材１の背面側に配設するように構成されているので、例えば、間接光光源部５を有する機種と有しない機種とを構成する場合に、その対応が容易となる効果が期待できる。同様に、点灯装置３の構成やサイズが異なる機種への対応も容易となる。つまり、点灯装置３のみを変更して他の構成部材の大部分を共通化するような場合に有利となる。
【００６７】
照明装置の取付状態において、例えば、赤外線リモコン送信器Ｒｃを操作して点灯装置３に電力が供給されると、基板７１を介して発光素子７２に通電され、各発光素子７２が点灯装置３によって点灯制御される。発光素子７２から出射された光は、導光板８の光入射端面６１へ入射し、この入射した光は、導光板８内で全反射して導光板８全体に広がるとともに、背面側に形成された反射ドットからなるドットパターンや反射シートによって反射されて拡散され、さらに、拡散カバー１０によって拡散されて均質化された光が前面側から放射される。
【００６８】
この場合、導光板８は、取付部材１の前面側を取付部４を含んで覆うようになっている。つまり、導光板８には、アダプタＡの操作等を可能とするための中央部の開口が形成されていない。このため、導光板８の中央部に暗部を生じることなく、発光面の輝度を均一化することができ、良好な配光状態を実現できるとともに、明るさ感を向上することが可能となる。
【００６９】
仮に、導光板８の中央部に開口が形成される場合、開口は光が導光されない部分であり、この部分が暗くなり、中央部が暗部となる現象が生じてしまうこととなる。
【００７０】
また、間接光光源部５に通電されると、各発光素子５２が点灯し、発光素子５２から斜め上方に出射された光は、透光性のカバー５３を透過し、点灯装置３の周囲から放射されるように、主として天井面に照射される。したがって、天井面が明るくなり、空間の明るさ感を向上させることができる。このように間接光光源部５は、点灯装置３の周囲に配設されているので、天井面を照らす間接光の光源として効果的な配置となっており、また、装置の薄型化をもたらすものとなっている。
【００７１】
光源部７における各発光素子７２が点灯されると、各発光素子７２から熱が発生する。各発光素子７２から発生した熱は、主として基板７１裏面側から放熱部材である取付板７３に伝導され放熱される。この場合、取付板７３は、取付部材１よりも外側に位置して外部へ露出するように配設されているので、外気が作用して冷却されやすく、効果的に放熱されるようになる。
【００７２】
以上のように本実施形態によれば、取付部材１の背面側に点灯装置３を配設するようにしたので、安全性を高め、安心感をもたらすとともに、電気的な接続作業を容易に行うことが可能な照明装置を提供することができる。
【００７３】
なお、上記実施形態においては、係止結合手段としては、ヒンジ構造を適用し、光源部本体を取付部材の前面側に開閉可能に取付けるようにしてもよい。さらに、例えば、外フレームの対向する両辺にクランプ金具を設けるようにして光源部本体を取付部材に対して着脱できるようにしてもよい。この場合にも取付部材の前面側は、光源部本体によって開閉可能となる。このように、係止結合手段は種々の構成が適用でき、格別特定のものに限定されるものではない。
【００７４】
本発明は、上記実施形態の構成に限定されることなく、発明の要旨を逸脱しない範囲で種々の変形が可能である。また、上記実施形態は、一例として提示したものであり、発明の範囲を限定することは意図していないものである。
【００７５】
上記実施形態においては、四角形状に形成された導光板を用い、発光面が略四角形状に形成される場合について説明したが、例えば、導光板を六角形や八角形等に形成し、これらの各辺に対応して発光素子を配置するとともに、前フレームを円形状に形成し、導光板の発光面が円形状に露出されるようにして、円形状の発光面が形成されるように構成することもできる。
【００７６】
また、上記実施形態は、導光板を用いて照明を行う照明装置に好適であるが、これに限らない。導光板を用いない照明装置についても適用可能である。さらに、光源としては、ＬＥＤ等の発光素子を用いる場合に好適であるが、格別限定されるものではない。蛍光ランプ等を用いる場合であってもよい。
【符号の説明】
【００７７】
１・・・取付部材、２・・・光源部本体、
３・・・点灯装置、４・・・取付部（アダプタガイド）、
５・・・間接光光源部、６・・・補助部品ユニット、
７・・・光源部、８・・・導光板、
９・・・フレーム部材、１０・・・拡散カバー、
１４、１５・・・突出壁、７１・・・基板、
７２・・・発光素子（ＬＥＤ）、７３・・・放熱部材（取付板）、
８１・・・光入射端面、
Ａ・・・アダプタ、Ｃ・・・装置取付面（天井面）、
Ｃｂ・・・配線器具（引掛けシーリングボディ）、
Ｃｎ2・・・受電用接続手段（受電用コネクタ）、
Ｃｎ3・・・給電用接続手段（給電用コネクタ）、
Ｒｃ・・・赤外線リモコン送信器、Ｓｃ・・・空間部
【図１】
2013168237.tif 000003
【図２】
2013168237.tif 000004
【図３】
2013168237.tif 000005
【図４】
2013168237.tif 000006
【図５】
2013168237.tif 000007
【図６】
2013168237.tif 000008
【図７】
2013168237.tif 000009